(57)【要約】      （修正有）【課題】脱水工程において，ドラムの前方でアンバランスの発生を低減でき、従ってアンバランス修正回数を低減でき、もってアンバランス修正のための時間や，消費電力量，使用水量を低減できるドラム式洗濯乾燥機を提供する。【解決手段】回転軸を略水平又は奥側が下になるように傾斜した回転自在なるドラム２１と，ドラム２１を内包すると共に洗濯水を溜める外槽１１と，外槽１１を内包する筐体１と，ドラム２１に温風を送風するための乾燥装置２５とを有し，ドラム２１の内周面に突出して回転軸方向に延び，周方向に間隔を置いて複数設けられたバッフル２３を有するドラム式洗濯乾燥機において，バッフル２３は，ドラム２１の中央側に突出した頂部２３ａを有し，頂部２３ａは，バッフル２３の前端から，ドラム２１の前後の中心Ｌ１／２の間に設ける。【選択図】図２
2018029858.tif 000002
【特許請求の範囲】
【請求項１】
回転軸を略水平又は奥側が下になるように傾斜した回転自在なるドラムと，該ドラムの水を排出する脱水孔と前記ドラムを内包すると共に洗濯水を溜める外槽と，該外槽を内包する筐体と，前記ドラムに温風を送風するための乾燥装置とを有し，前記ドラムの内周面に突出して回転軸方向に延び，周方向に間隔を置いて複数設けられたバッフルを有するドラム式洗濯乾燥機において，
前記バッフルは，前記ドラムの中央側に突出した頂部を有し，該頂部は，前記バッフルの前端から，前記ドラムの前後の中心の間に設けたことを特徴とするドラム式洗濯乾燥機。
【請求項２】
請求項１におけるドラム式洗濯乾燥機において，
前記ドラムの脱水時の回転方向の上流側に前記バッフルの前端を配置して，前記ドラムの脱水時の回転方向の下流側に前記バッフルの後端を配置していることを特徴とするドラム式洗濯乾燥機。
【発明の詳細な説明】
【技術分野】
【０００１】
本発明は，洗濯，脱水及び乾燥を行うドラム式洗濯機及び洗濯乾燥機に関する。
【背景技術】
【０００２】
ドラム式洗濯乾燥機は，水を溜める外槽に衣類を投入するドラムを内包している。ドラム式洗濯乾燥機は，洗いと，すすぎと，脱水と，乾燥の各工程を行う。ドラム内に収容した衣類は，ドラムの内周面に設けたバッフルとドラムの回転による遠心力で持ち上げられ，重力で落下するような動きを繰り返しながら洗濯工程，あるいは乾燥工程が行われる。脱水工程は，洗いと，すすぎの各工程後に行われる。脱水を開始すると，衣類はバッフルとドラムの回転で持ち上げられ，重力で落下する動きを繰り返しながら，ある回転速度以上でドラムの内周面に張り付き，脱水工程が行われる。
【０００３】
従来技術には，特開２０１０−２０７４５０号公報（特許文献１）がある。この公報には「ドラム１１の内周部に設けるバッフル１３の前側１３ａを、後側１３ｂよりドラム１１の回転中心Ｏに対する角度を大きくして設けた（θａ＞θｂ）。」と記載されている。また，特開２０１０−１９４０１４号公報（特許文献２）には，「ドラム１２の周壁内面の前部の領域に、ドラム１２の軸線方向（回転中心軸方向）に延びるバッフル８２が複数固定されている。バッフル８２は、ドラム１２の径方向において隙間無くドラム１２の内周面に固定され、且つ、周方向に等間隔に配置されている。」と記載されていると共に、「剥離用腕部８１は、先端部がバッフル８２の後端部に近い位置まで延びている。例えば、ドラム１２の軸方向において、バッフル８２がドラム１２の前部側たるほぼ半分を占め、剥離用腕部８１がドラム１２の後部側たるほぼ半分を占めている。剥離用腕部８１の高さ寸法は、ドラム１２の前面側に向かうにつれて小さくしている。」と記載されている。
【先行技術文献】
【特許文献】
【０００４】
【特許文献１】特開２０１０−２０７４５０号公報
【特許文献２】特開２０１０−１９４０１４号公報
【発明の概要】
【発明が解決しようとする課題】
【０００５】
特許文献１は，バッフルの前端が高く，バッフルの前端がドラムの前端に位置するバランサに近いため，バッフルとバランサで囲まれた空間（ドラムの前方の空間）が狭くなり，その空間に衣類が挟まりやすくなる。衣類がドラムの前方の空間に挟まった状態で，ドラムの回転とバッフルによってドラムの前方の空間に挟まった衣類が持ち上げられても，衣類はドラムの前方の空間に挟まったままとなる。脱水工程前の衣類は，洗い工程時または，すすぎ工程時の水を含んでいるため，乾燥した衣類と比べて，重くなっている。複数のバッフルが，ドラムの周方向に等間隔に配置されている場合は，一部のバッフルとバランサで囲まれた空間に，水を含んだ衣類が挟まり込むと，衣類の片寄りの原因となり，ドラムの前方でアンバラスが発生する。ドラムの前方でアンバランスが発生すると，ドラムから外槽に加わる加振力が大きくなることで，外槽の振動振幅が増加する。
【０００６】
また，ドラムの前方でアンバランスが発生すると，アンバランスの位置と，ドラム後方のドラムと外槽の結合部となるシャフトまでの距離が長くなることで，ドラムから外槽に加わるモーメントが大きくなり，外槽が振れやすくなるため，外槽の振動振幅が増加する。一般的に外槽の振動振幅は，振動センサによって，検知している。ドラムの前方でアンバランスが発生して，外槽の振動振幅が振動センサの所定の値より大きくなると，アンバランスを小さくするために，脱水運転を停止して，ドラムを正転と逆転あるいは注水を行い，ドラムの内周面への衣類の張り付けの分布を修正する（以下，脱水の修正と呼ぶ）。そのため，ドラムの前方でアンバランスが発生すると，脱水の修正を行う回数が増えるため，脱水時間の増加や，脱水時間の増加に伴う消費電力量の増加，脱水の修正時に注水を行うため使用水量が増加する。
【０００７】
また，ドラムの前方でアンバランスが発生して，外槽の振動振幅が増加すると，外槽の振動振幅が過大となりやすいため，外槽と筺体の衝突による異音の発生や，外槽の振動が外槽と筺体の接続部から筺体に伝達しやすくなり，筺体の振動振幅が増加するため，使用者の不快感に繋がりやすい。
【０００８】
特許文献２は，バッフルと剥離用腕部が一体となっていないため，バッフルと剥離用腕部の間に隙間があり，その隙間に衣類が挟まり込みやすくなる。バッフルと剥離用腕部の隙間に脱水工程前の洗い工程時または，すすぎ工程時の水を含んだ衣類が挟まった状態では，水を含んだ衣類がドラムの回転とバッフルによって持ち上げられても，水を含んだ衣類はバッフルと剥離用腕部の隙間に挟まったままとなる。複数のバッフルと剥離用腕部が，ドラムの周方向に等間隔に配置されている場合において，一部のバッフルと剥離用腕部の隙間に水を含んだ衣類が挟まり込むと，特許文献１と同様に，ドラムの前方でアンバランスが発生して，外槽の振動振幅が増加する。
【０００９】
また，特許文献２は，ドラムの後方の剥離用腕部が，ドラムの前方のバッフルに比べて高いため，ドラムの後方の容積がドラムの前方の容積に比べて小さく，ドラムの前方に衣類が多く分布しやすい。そのため，衣類はドラムの前方の内周面に張り付きやすくなり，ドラムの内周面に張り付いた際に，衣類が片寄っていると，ドラムの前方でアンバランス発生して，前述した様に，外槽の振動振幅が増加する。外槽の振動振幅が増加すると，特許文献１と同様に，脱水の修正回数が増加することで，脱水時間や，消費電力量，さらに使用水量が増加する。また，外槽の振動振幅の増加による異音の発生や，筺体の振動振幅が増加するため，使用者の不快感に繋がりやすい。
【００１０】
本発明の目的は，ドラムの前方におけるアンバランスの発生を抑制して，外槽の振動振幅の増加を防ぐことで脱水の修正回数の増加を抑制して，脱水時間や，消費電力量，使用水量の増加を防ぐ。さらに，外槽と筺体が衝突することで発生する異音や，筺体の振動振幅の増加を防ぐドラム式洗濯乾燥機を提供することである。 
【課題を解決するための手段】
【００１１】
本発明は上記課題を解決する手段の一例を挙げるならば，回転軸を略水平又は奥側が下になるように傾斜した回転自在なるドラムと，該ドラムの水を排出する脱水孔と前記ドラムを内包すると共に洗濯水を溜める外槽と，該外槽を内包する筐体と，前記ドラムに温風を送風するための乾燥装置とを有し，前記ドラムの内周面に突出して回転軸方向に延び，周方向に間隔を置いて複数設けられたバッフルを有するドラム式洗濯乾燥機において，前記バッフルは，前記ドラムの中央側に突出した頂部を有し，該頂部は，前記バッフルの前端から，前記ドラムの前後の中心の間に備えたことを特徴とするドラム式洗濯乾燥機。
【発明の効果】
【００１２】
本発明によれば，外槽の振動振幅の増加を防ぐことで脱水の修正回数の増加を抑制して脱水時間や，消費電力量，使用水量の増加を防ぐ。さらに，外槽と筺体が衝突することで発生する異音や，筺体の振動振幅の増加を防ぐドラム式洗濯乾燥機を提供することができる。 
【図面の簡単な説明】
【００１３】
【図１】本発明の実施の形態例に係るドラム式洗濯乾燥機の斜視図である。
【図２】本発明の実施の形態例に係るドラム式洗濯乾燥機の内部構造を示す側面図である。
【図３】第一の実施例におけるバッフルの一例を示すためのドラムの正面図である。
【図４】第一の実施例における図３のＡ−Ａ断面図である。
【図５】第一の実施例におけるバッフルの効果の一例を示す図である。
【図６】第二の実施例におけるバッフルの一例を示すためのドラムの正面図である。
【図７】第二の実施例における図６のＢ−Ｂ断面図である。
【図８】第二の実施例におけるバッフルの効果の一例を示す図である。
【発明を実施するための形態】
【００１４】
以下，本発明を実施するための形態例について，図面を参照して説明する。なお，上下方向，左右方向，前後方向については図１に示す方向とする。
【００１５】
（実施例１）
図１は本発明におけるドラム式洗濯乾燥機１００の斜視図，図２はドラム式洗濯乾燥機１００の内部構造を示す側面図をそれぞれ示す。図１と図２を用いて，ドラム式洗濯乾燥機１００の構成と動作を説明する。
【００１６】
図１に示すドラム式洗濯乾燥機１００の外郭を構成する筐体１は，ベース１ａの上に取付けられており，左右の側板１ｂ（図１では左の側板のみを図示），前面カバー１ｃ，背面カバー１ｄ（図２参照），上面カバー１ｅ，下部前面カバー１ｆで構成されている。上面カバー１ｅには，水道栓からのドラム式洗濯乾燥機１００に給水するための給水ホース接続口３０を設けている。筐体１は，ベース１ａを含めて箱状の外枠を形成し，外枠として十分な強度を有している。
【００１７】
ドア２は，前面カバー１ｃの略中央に設けた衣類を出し入れするための投入口１ｇ（図２参照）を塞ぐためのもので，前補強材１３（図２参照）に設けたヒンジで開閉可能に支持されている。ドア２は，ドア開放取手２ａを引くことでロック機構（図示せず）が外れて開き，ドア２を前面カバー１ｃに押し付けることでロックされて閉じる。前補強材１３（図２参照）は，後述する外槽１１の開口部と略同心に，衣類を出し入れするための円形の開口部を有している。
【００１８】
筐体１の上部に設けた操作・表示パネル３は，電源スイッチ４，操作スイッチ５，表示器６を備える。操作・表示パネル３は外枠の下部に設けた制御装置７（図２参照）に電気的に接続している。制御装置７には冷却ファン（図示せず）が取付けられている。ベース１ａの近傍には，排水を行うための排水ホース１４が取付けられている。
【００１９】
図２に示すドラム式洗濯乾燥機１００の筐体１の内部には，水を溜める外槽１１が備えられる。外槽１１は筐体１の下方に備えたサスペンション２６と，筐体１の上方に備えた吊ばね８により，上下方向が防振支持されている。外槽１１は，衣類を収納するためのドラム２１を内包する。外槽１１の後方には，ドラム２１を回転させるためのモータ２２を備える。モータ２２は，回転軸となるシャフト２２ａが外槽１１を貫通し，ドラム２１と結合している。モータ２２が駆動すると，ドラム２１は，正転（ドラム式洗濯乾燥機１００を正面から見て時計回り），逆転（ドラム式洗濯乾燥機１００を正面から見て反時計回り）方向の両方向に回転駆動される。図２示すドラム２１の回転軸Ａｚは，ドラム式洗濯乾燥機１００の前方から後方に向けて略水平又は奥側が下になるように傾斜（図２では奥側が下になるように図示）している。
【００２０】
ドラム２１の内周面には，複数個の脱水孔２１ｂと，ドラム２１の周方向に間隔をおいて，複数個（図２では１個のみを図示）のバッフル２３が設けられている。バッフル２３は，ドラム２１の前後方向に延在している。バッフル２３の前端は，ドラム２１の前後の中心Ｌ１／２よりも前方となり，バッフル２３の後端は，ドラム２１の前後の中心Ｌ１／２よりも後方となる。このバッフル２３は，ドラム２１の中央側に突出した頂部２３ａを有している。この頂部２３ａは，バッフル２３の前端からドラム２１の前後の中心Ｌ１／２の間に設けている。そのため，バッフル２３の前端の高さは，頂部２３ａよりも低くなり，バッフル２３とドラム２１の前端に設けられた円筒状の流体バランサ２１ｃで囲まれた空間（以下，ドラム２１の前方の空間と呼ぶ）を広げることができる。なお，頂部２３ａは，回転軸Ａｚを略水平とした場合でも，バッフル２３の前後方向で最も高くなる。
【００２１】
ドラム２１の前端には，円筒状の流体バランサ２１ｃが設けられている。外槽１１は，前方を開口として，後方を閉じた有底の略円筒を形成している。外槽１１の前方の開口部は，衣類を出し入れするための外槽１１の開口部１１ａを形成している。この外槽１１の開口部１１ａと筺体１の投入口１ｇは，前後方向に伸縮しやすいベローズ１６により接続される。ベローズ１６は，環状のパッキンである弾性体のエラストマーや合成ゴム材料で成形され，ドア２を閉めることでドラム２１を水封する。また，筐体１の投入口１ｇ，外槽の開口部１１ａ，ドラム２１の開口部２１ａは連通しており，ドア２を開くことでドラム２１内への衣類の出し入れが可能となる。なお，外槽１１は，開口部１１ａを含む側と，モータ２２の取り付けられる側とに分割することができる。
【００２２】
外槽１１には，給水弁１５ならびに洗剤容器１２を介して給水ホース１７の一端を接続している。給水弁１５を開くことで，給水ホース接続口３０から外槽１１内に洗濯水の供給を行う。排水ホース１４は，排水経路に排水弁１４ａを有しており，この排水弁１４ａを開くことで，外槽１１内の洗濯水の排水を行う。外槽１１の下方には，振動センサ１８が備えられており，外槽１１の振動振幅が振動センサ１８の閾値を超えると，脱水運転を停止する。
【００２３】
筺体１には，ドラム２１内の衣類に温風を吹きつける，送風手段である乾燥装置２５が固定されて設けられている。乾燥装置２５からの温風をドラム２１内に導くために，乾燥装置２５の前方に通風路２５ａと外槽１１の前方の外周の一部に流入口１１ｂとが対面して設けられている。乾燥装置２５の通風路２５ａと外槽１１の流入口１１ｂとは，送風ホース２４により，上下方向に接続される。この送風ホース２４は，弾性体のエラストマーや合成ゴム材料で成形されて，上下方向に伸縮しやすい特長を備える。
【００２４】
上記構成において，ドラム式洗濯乾燥機１００の動作を説明する。電源スイッチ４を押すと，ドラム式洗濯乾燥機１００が起動する。ドア開放取手２ａを引いて，ドア２を開いてドラム２１内に衣類を投入し，ドア２を閉じた後，操作スイッチ５を操作することで，運転を開始する。運転を開始すると，ドラム２１が回転して，注水前の衣類の重量を算出する。尚，モータ２２の回転速度と電流値に基づいて，ドラム２１内の衣類の重量を算出する。算出した衣類の重量に基づいて，投入する洗剤量を表示器６に表示する。洗剤容器１２内に所定量の洗剤量を投入後，始めに洗い工程を開始する。洗い工程において，給水弁１５を開いて，給水ホース接続口３０から供給した水を給水ホース１７ならびに洗剤容器１２を介して，洗剤と共に外槽１１内に給水する。この動作を所定時間実行した後，ドラム２１が正転，停止，逆転，停止を繰り返す洗い動作を所定時間行う。このとき，衣類がバッフル２３によって持ち上げられ落下する。この落下によるたたき動作を繰り返す，洗い工程を行う。
【００２５】
洗い工程を行った後，脱水工程を実行する。この脱水工程においては，まずドラム２１内の水を脱水孔２１ｂから外槽１１に排水する。次に，排水弁１４ａを開いて，外槽１１内の水が排水ホース１４を介してドラム式洗濯乾燥機１００の外に排水する。次に，詳細は後述する衣類をドラム２１の内周面への張り付け動作を行う。ドラム２１が低速回転数（例えば６０ｒ／ｍｉｎ）で一方向に回転して，洗い工程で水を含んだ衣類がドラム２１の回転時にバッフル２３によって持ち上げられ，落下する際にドラム２１の内周面に広げられる。次に，ドラム２１の回転速度を徐々に上昇させて，ドラム２１の内周面に衣類を張り付かせる。外槽１１の振動振幅が，振動センサ１８の所定の値より低いと，ドラム２１が所定回転数（例えば，９００ｒ／ｍｉｎ）に到達する。その後，ドラム２１が所定時間回転することで，衣類に含まれる水を遠心脱水する。
【００２６】
なお，ドラム２１の内周面に張り付いた衣類が片寄っていると，アンバランスが発生して，ドラム２１から外槽１１に加わる加振力が大きくなり，外槽１１の振動振幅が増加しやすくなる。アンバランスによって，外槽１１の振動振幅が増加して，振動センサ１８の所定の値を超えると，アンバランスを小さくするために，脱水運転を停止して，ドラム２１を正転と逆転動作や，あるいは注水を行い，脱水の修正をする。
【００２７】
この脱水工程を行った後，給水弁１５を開いて水を外槽１１に供給する。その供給された水は，洗剤容器１２および給水ホース１７を介して，外槽１１内に給水される。外槽１１内に給水を行った後，すすぎ工程を行う。このすすぎ工程においては，前述した洗い工程と同様に，ドラム２１が正転，停止，反転，停止の動作を繰り返す。このとき，バッフル２３によって持ち上げられた衣類が落下する攪拌動作を繰り返す，すすぎ動作を所定時間行う。
【００２８】
その後，前述した脱水工程およびすすぎ工程を所定回数繰り返し，最終脱水工程に移行する。この最終脱水工程における脱水時間は，前述の脱水工程より長く設定してある。この最終脱水工程を行った後，乾燥工程を行う。
【００２９】
乾燥工程では，乾燥装置２５からの温風を通風路２５ａから乾燥ホース２４を介して，外槽１１の流入口１１ｂから，外槽１１内への送風を衣類の湿度と乾燥具合に応じた時間行う。その際，前述した洗い工程と同様に，ドラム２１が正転，停止，反転，停止の動作を繰り返す。このとき，衣類がバッフル２３によって持ち上げられ落下する攪拌動作を繰り返し，乾燥動作を衣類の湿度と乾燥具合に応じた時間行う。
【００３０】
次に，本実施の形態例の脱水工程において，ドラム２１の前方でアンバランスの発生を抑制して，脱水の修正回数の増加を抑制する衣類の張り付け動作の詳細を図３と図４を用いて説明する。図３は，本実施の形態例のバッフル２３とドラム２１の正面図を示す。図４は，図３のＡ−Ａ断面図を示す。
【００３１】
脱水工程前の衣類は，洗い工程時または，すすぎ工程時の水を含んでいる（以下，水を含んだ衣類と呼ぶ）ため，乾燥した衣類と比べて，重くなっている。また，脱水工程前の洗い工程の衣類は，洗い工程のたたき洗いまたは，すすぎ工程の撹拌によって，水を含んだ衣類がドラム２１の前後方向に分散している。脱水工程を開始すると，ドラム２１が回転方向１１０に低速で回転して，水を含んだ衣類がドラム２１の回転時に，バッフル２３によって，持ち上げられる。
【００３２】
この際ドラム２１の前方の水を含んだ衣類は，頂部２３ａに引っ掛かることで，持ち上げられる。頂部２３ａは，バッフル２３の前後方向で最も高いため，頂部２３ａによって持ち上げられた水を含んだ衣類は，頂部２３ａを乗り越えにくくなり，ドラム２１の回転により，ドラム２１のより高い位置まで持ち上げられやすくなる。ドラム２１の前方の水を含んだ衣類が，頂部２３ａによって，ドラム２１のより高い位置まで持ち上げられると落下距離が長くなり，また頂部２３ａに引っ掛かりながら落下すれば，ドラム２１の内周面に水を含んだ衣類が広がるため，水を含んだ衣類がドラム２１の内周面に均一に張り付きやすくなる。ドラム２１の内周面に水を含んだ衣類が均一に張り付くと，衣類の片寄りを抑制でき，アンバランスが発生しにくくなる。そのため，ドラム２１から外槽１１に加わる加振力を小さくできるため，外槽１１の振動振幅の増加を防止できる。
【００３３】
頂部２３ａは，バッフル２３の前端からドラム２１の前後中心Ｌ１／２の間に設けて，バッフル２３の前端を低くしているので，バッフル２３の前端を最も高くした場合と比較して，ドラム２１の前方の空間を広くすることができる。そのため，ドラム２１の前方の水を含んだ衣類が，ドラム２１の前方の空間に挟み込まれることを抑制でき，ドラム２１の回転時に，ドラム２１の前方の水を含んだ衣類が頂部２３ａによって持ち上げられやすくなる。ドラム２１の前方の水を含んだ衣類が，頂部２３ａによって持ち上げられると，前述した様に，ドラム２１の内周面に均一に張り付き易くなるので，衣類の片寄りを抑制して，アンバランスが発生しにくくなるため，外槽１１の振動振幅の増加を防止できる。
【００３４】
上述の様に，外槽１１の振動振幅の増加を防止すると，外槽１１の振動振幅が振動センサ１８の所定の値を超えにくくなるので，脱水の修正回数の増加を抑制できるため，脱水時間や，消費電力量，使用水量の増加を防止できる。また，アンバランスの発生を抑制して，外槽１１の振動振幅の増加を防止すると，外槽１１の振動振幅が過大となることを防げるため，外槽１１と筺体１との衝突を抑制して異音の防止や，外槽１１と筺体１との接続部から，外槽１１の振動が筺体１に伝達することを低減でき，筺体１の振動振幅の増加を防止できるので，使用者の不快感を低減することができる。
【００３５】
次に図５を用いて，バッフル２３の頂部２３ａの位置について述べる。ここでは，ドラム２１の前後の長さＬ１が２８０ｍｍに対して，バッフル２３ａの長さを１８０ｍｍ，頂部２３ａの高さを４０ｍｍとした場合で，横軸はドラム２１の前後の長さＬ１と頂部２３ａの前後位置Ｌ２の比（以下Ｌ２／Ｌ１と呼ぶ）を示している。縦軸は，ドラム２１の前後の中心となるＬ２／Ｌ１が０．５における脱水工程１回当たりの脱水の修正回数を基準の１とした時の比（以下脱水の修正回数比と呼ぶ）で示している。
【００３６】
図５に示す様に，Ｌ２／Ｌ１が０から０．５の間で，脱水の修正回数比が極小値を得て，Ｌ２／Ｌ１を０．２４から０．５とすると，脱水の修正回数比はほぼ１以下となり，より好ましい。つまり，ドラム２１の前方の空間を確保して，水を含んだ衣類がその空間に挟まり込みにくくする且つ，ドラム２１の回転時に，ドラム２１の前方の水を含んだ衣類が頂部２３ａによって持ち上げられることで，ドラム２１の前方でアンバランスの発生をより抑制できるため，外槽１１の振動振幅が増加することを防ぎ，外槽１１の振動振幅が振動センサ１８の所定の値を超えにくくなるため，脱水の修正回数の増加を抑制することができる。
【００３７】
（実施例２）
次に実施例２について図６と図７を参照して詳細に説明する。
【００３８】
なお，ドラム式洗濯乾燥機１００については，実施例１と基本的に同様な構成であるので，以下では，異なる部分について説明する。
【００３９】
図６は，本実施の形態例のバッフル２３ｂとドラム２１の正面図を示す。図７は，図６のＢ−Ｂ断面図を示す。
【００４０】
実施例２では，脱水工程時のドラム２１の回転方向１１０の上流側がバッフル２３ｂの前端，脱水工程時のドラム２１の回転方向１１０の下流側がバッフル２３ｂの後端となる様に，バッフル２３ｂをドラム２１の周方向に傾斜あるいはひねって配置している。また，バッフル２３ｂは，ドラム２１の中央側に突出した頂部２３ｃを有している。この頂部２３ｃは，バッフル２３ｂの前端からドラム２１の前後の中心Ｌ１／２の間に設けている。
【００４１】
脱水工程の開始時に，ドラム２１が低速で回転すると，頂部２３ｃによってドラム２１の前方の水を含んだ衣類が持ち上げられる。頂部２３ｃは，バッフル２３ｂの前後方向で最も高くなるため，頂部２３ｃによって持ち上げられたドラム２１の前方の水を含んだ衣類は，バッフル２３ｂを乗り越えにくくなるため，ドラム２１の回転によりドラム２１の高い位置まで持ち上げられやすくなる。また，前述した様に，バッフル２３ｂの前端と後端が，ドラム２１の周方向に傾斜あるいはひねって配置しているため，ドラム２１の水を含んだ前方の衣類は，頂部２３ｃに持ち上げられると，頂部２３ｃが傾斜あるいはひねった方向に向くため，水を含んだ衣類はドラム２１の後方に向きやすくなる。
【００４２】
ドラム２１の前方の水を含んだ衣類が，頂部２３ｃとドラム２１の回転によって，ドラム２１の高い位置まで持ち上げられることで，落下距離が長くなり，また頂部２３ｃに引っ掛かりながら落下すれば，水を含んだ衣類はドラム２１の後方の内周面に広がるため，水を含んだ衣類がドラム２１の後方の内周面に均一に張り付きやすくなる。ドラム２１の前方の水を含んだ衣類が，ドラム２１の後方の内周面に均一に張り付くと，ドラム２１の前方の水を含んだ衣類が少なくなり，ドラム２１の前方でアンバランスが発生しにくくなる。また，ドラム２１の後方の内周面に水を含んだ衣類が均一に張り付くと，ドラム２１の後方で衣類の片寄りを抑制でき，アンバランスが発生しにくくなるため，ドラム２１から外槽１１に加わる加振力を小さくできる。また，アンバランスの発生位置とドラム２１の後方のドラム２１と外槽１１の結合部となるシャフト２２ａまでの距離を，ドラム２１の前方でアンバランスが発生した場合と比べて短くできるので，ドラム２１から外槽１１に加わるモーメントを小さくできるため，外槽１１の振動振幅の増加をより防止することができる。
【００４３】
また，頂部２３ｃは，バッフル２３ｂの前端からドラム２１の前後の中心Ｌ１／２の間に設けて，バッフル２３ｂの前端を低くしているので，バッフル２３ｂの前端を最も高くした場合と比較して，ドラム２１の前方の空間を広くすることができる。そのため，実施例１と同様に，ドラム２１の前方の水を含んだ衣類が，ドラム２１の前方の空間に挟み込まれることを抑制でき，ドラム２１の回転により，ドラム２１の前方の衣類が頂部２３ｃによって持ち上げられやすくなることで，ドラム２１の前方でアンバランスが発生しにくくなるため，外槽１１の振動振幅の増加を防止できる。
【００４４】
上述の様に，外槽１１の振動振幅の増加をより防止すると，実施例１と比較して，外槽１１の振動振幅が振動センサ１８の所定の値を超えにくくなり，脱水の修正回数の増加をより抑制できるため，脱水時間や，消費電力量，使用水量の増加をより防止することができる。さらに，実施例１と同様に外槽１１の振動振幅の増加を防止できると，外槽１１の振動振幅が過大となることを防げるため，外槽１１と筺体１との衝突を抑制して異音の防止や，外槽１１と筺体１との接続部から外槽１１の振動が筺体１に伝達することを低減できるため，筺体１の振動振幅の増加を防止でき，使用者の不快感を低減することができる。
【００４５】
次に図８を用いて，バッフル２３の前端から後端の傾斜角度θについて述べる。ここでは，ドラム２１の前後の長さＬ１が２８０ｍｍに対して，バッフル２３ｂの長さ１８０ｍｍ，頂部２３ｃの高さを４０ｍｍとした場合で，横軸はバッフル２３ｂの前端から後端の傾斜角度θを示している。縦軸は，傾斜角度θが０度を基準の１として，脱水の修正回数を比で示している。
【００４６】
図８に示す様に，傾斜角度θを０度より大きくすることで，脱水の修正回数比が低減する。より好ましくは，傾斜角度θを１０度から１５度とすると，脱水の修正回数比は０．５となる。つまり，ドラム２１の前方の水を含んだ衣類が頂部２３ｃに持ち上げられて落下する際に，ドラム２１の前方の水を含んだ衣類がドラム２１の後方に移動して，ドラム２１の後方の内周面に均一に張り付きやすくなるため，ドラム２１の前方でアンバランスが発生しにくくなり，外槽１１の振動振幅の増加を防止して，外槽１１の振動振幅が振動センサ１８の所定の値を超えにくくなることで，脱水の修正回数の増加を抑制できる。
【００４７】
なお，バッフル２３ｂの前端から後端の傾斜角度θをより大きく（例えば４５度）すると，ドラム２１の前後の長さＬ１に対して，バッフル２３ｂが傾斜角度θの影響を受けて，バッフル２３ｂが左右方向に向き易くなり，ドラム２１の前方の衣類を持ち上げにくくなる。バッフル２３ｂの傾斜角度θをより大きくした場合に，ドラム２１の前後の長さＬ１に対して，バッフル２３ｂを前後方向に伸ばすためには，バッフル２３ｂの大型化が必要となる。しかし，バッフル２３ｂを大型化すると，成形時に樹脂の使用量が増加するため重量が増加する。また，ドラム２１の内周面は曲面となっているため，バッフル２３ｂが大型化すると，取り付け時の寸法精度を必要とするため，作業性が悪化する恐れがある。そのため，バッフル２３ｂの前端から後端の傾斜角度θは１５度以下として，より好ましくは１０度から１５度とする。
【符号の説明】
【００４８】
１・・・筐体
１ａ・・・ベース
１ｂ・・・左右の側板
１ｃ・・・前カバー
１ｄ・・・背面カバー
１ｅ・・・上面カバー
１ｆ・・・下部前面カバー
１ｇ・・・投入口
２・・・ドア
２ａ・・・ドア開放取手
３・・・操作・表示パネル
４・・・電源スイッチ
５・・・操作スイッチ
６・・・表示器
７・・・制御装置
８・・・吊ばね
１１・・・外槽
１１ａ・・・外槽開口部
１１ｂ・・・外槽の流入口
１２・・・洗剤容器
１３・・・前補強部材
１４・・・排水ホース
１４ａ・・・排水弁
１５・・・給水弁
１６・・・ベローズ
１７・・・給水ホース
１８・・・振動センサ
２１・・・ドラム
２１ａ・・・開口部
２１ｂ・・・脱水孔
２１ｃ・・・流体バランサ
２２・・・モータ
２２ａ・・・シャフト
２３・・・バッフル
２３ａ・・・頂部
２３ｂ・・・バッフル
２３ｃ・・・頂部
２４・・・乾燥ホース
２５・・・乾燥装置
２５ａ・・・通風路
２６・・・サスペンション
３０・・・給水ホース接続口
１００・・・ドラム式洗濯乾燥機
【図１】
2018029858.tif 000003
【図２】
2018029858.tif 000004
【図３】
2018029858.tif 000005
【図４】
2018029858.tif 000006
【図５】
2018029858.tif 000007
【図６】
2018029858.tif 000008
【図７】
2018029858.tif 000009
【図８】
2018029858.tif 000010